【手続補正書】
【提出日】平成17年3月30日(2005.3.30)
【手続補正１】
【補正対象書類名】明細書
【補正対象項目名】特許請求の範囲
【補正方法】変更
【補正の内容】
【特許請求の範囲】
【請求項１】
少なくとも３つの形状可変の反射面を有し、そのパワーを物体側より順に、負の第１反射面、正の第２反射面、正の第３反射面で構成して、反射面の形状を変化させることにより変倍を行い、全ての光学素子には反射面を有していることを特徴とするズーム光学系。
【請求項２】
少なくとも３つの形状可変の反射面を有し、そのパワーを物体側より順に、負の第１反射面、負の第２反射面、正の第３反射面で構成して、反射面の形状を変化させることにより変倍を行うことを特徴とするズーム光学系。
【請求項３】
少なくとも３つの形状可変の反射面を有し、そのパワーを物体側より順に、負の第１反射面、正の第２反射面、負の第３反射面で構成して、反射面の形状を変化させることにより変倍を行うことを特徴とするズーム光学系。
【請求項４】
少なくとも４つの形状可変の反射面を有し、そのパワーを物体側より順に、負の第１反射面、正の第２反射面、正の第３反射面、正の第４反射面で構成して、反射面の形状を変化させることにより変倍を行うことを特徴とするズーム光学系。
【請求項５】
少なくとも４つの形状可変の反射面を有し、そのパワーを物体側より順に、負の第１反射面、正の第２反射面、正の第３反射面、負の第４反射面で構成して、反射面の形状を変化させることにより変倍を行うことを特徴とするズーム光学系。
【請求項６】
少なくとも４つの形状可変の反射面を有し、そのパワーを物体側より順に、負の第１反射面、正の第２反射面、負の第３反射面、正の第４反射面で構成して、反射面の形状を変化させることにより変倍を行うことを特徴とするズーム光学系。
【請求項７】
少なくとも４つの形状可変の反射面を有し、そのパワーを物体側より順に、負の第１反射面、負の第２反射面、正の第３反射面、正の第４反射面で構成して、反射面の形状を変化させることにより変倍を行うことを特徴とするズーム光学系。
【請求項８】
少なくとも４つの形状可変の反射面を有し、そのパワーを物体側より順に、負の第１反射面、負の第２反射面、正の第３反射面、負の第４反射面で構成して、反射面の形状を変化させることにより変倍を行うことを特徴とするズーム光学系。
【請求項９】
少なくとも４つの形状可変の反射面を有し、そのパワーを物体側より順に、正の第１反射面、負の第２反射面、正の第３反射面、正の第４反射面で構成して、反射面の形状を変化させることにより変倍を行うことを特徴とするズーム光学系。
【請求項１０】
請求項１、４又は５記載のズーム光学系において、次の条件式を満たすことを特徴とするズーム光学系。
０．００５＜φ2p／φ3p＜１００                        ・・・（１）
ただし、φ2p＝２・ｎ2 ／（cos θ2 ・ｒ2 ）、φ3p＝２・ｎ3 ／（cos θ3 ・ｒ3 ）とし、ｎ2 、ｎ3 はそれぞれ正の第２反射面、正の第３反射面の入射射出側のｄ線の屈折率、ｒ2 、ｒ3 はそれぞれ正の第２反射面、正の第３反射面の軸上主光線が通過する地点での曲率半径、θ2 、θ3 はそれぞれ正の第２反射面、正の第３反射面の反射角である。
【請求項１１】
請求項１、４又は５記載のズーム光学系において、次の条件式を満たすことを特徴とするズーム光学系。
−１００＜φ1n／φ2p＜−０．０１                      ・・・（２）
ただし、φ1n＝２・ｎ1 ／（cos θ1 ・ｒ1 ）、φ2p＝２・ｎ2 ／（cos θ2 ・ｒ2 ）とし、ｎ1 、ｎ2 はそれぞれ負の第１反射面、正の第２反射面の入射射出側のｄ線の屈折率、ｒ1 、ｒ2 はそれぞれ負の第１反射面、正の第２反射面の軸上主光線が通過する地点での曲率半径、θ1 、θ2 はそれぞれ負の第１反射面、正の第２反射面の反射角である。
【請求項１２】
請求項２、７又は８記載のズーム光学系において、次の条件式を満たすことを特徴とするズーム光学系。
０．０１＜φ1n／φ2n＜１００                          ・・・（３）
ただし、φ1n＝２・ｎ1 ／（cos θ1 ・ｒ1 ）、φ2n＝２・ｎ2 ／（cos θ2 ・ｒ2 ）とし、ｎ1 、ｎ2 はそれぞれ負の第１反射面、負の第２反射面の入射射出側のｄ線の屈折率、ｒ1 、ｒ2 はそれぞれ負の第１反射面、負の第２反射面の軸上主光線が通過する地点での曲率半径、θ1 、θ2 はそれぞれ負の第１反射面、負の第２反射面の反射角である。
【請求項１３】
請求項２、７又は８記載のズーム光学系において、次の条件式を満たすことを特徴とするズーム光学系。
−１００＜φ1n／φ3p＜−０．０１                      ・・・（４）
ただし、φ1n＝２・ｎ1 ／（cos θ1 ・ｒ1 ）、φ3p＝２・ｎ3 ／（cos θ3 ・ｒ3 ）とし、ｎ1 、ｎ3 はそれぞれ負の第１反射面、正の第３反射面の入射射出側のｄ線の屈折率、ｒ1 、ｒ3 はそれぞれ負の第１反射面、正の第３反射面の軸上主光線が通過する地点での曲率半径、θ1 、θ3 はそれぞれ負の第１反射面、正の第３反射面の反射角である。
【請求項１４】
請求項３又は６記載のズーム光学系において、次の条件式を満たすことを特徴とするズーム光学系。
０．０１＜φ1n／φ3n＜１００                          ・・・（５）
ただし、φ1n＝２・ｎ1 ／（cos θ1 ・ｒ1 ）、φ3n＝２・ｎ3 ／（cos θ3 ・ｒ3 ）とし、ｎ1 、ｎ3 はそれぞれ負の第１反射面、負の第３反射面の入射射出側のｄ線の屈折率、ｒ1 、ｒ3 はそれぞれ負の第１反射面、負の第３反射面の軸上主光線が通過する地点での曲率半径、θ1 、θ3 はそれぞれ負の第１反射面、負の第３反射面の反射角である。
【請求項１５】
請求項３又は６記載のズーム光学系において、次の条件式を満たすことを特徴とするズーム光学系。
−１００＜φ1n／φ2p＜−０．０１                      ・・・（６）
ただし、φ1n＝２・ｎ1 ／（cos θ1 ・ｒ1 ）、φ2p＝２・ｎ2 ／（cos θ2 ・ｒ2 ）とし、ｎ1 、ｎ2 はそれぞれ負の第１反射面、正の第２反射面の入射射出側のｄ線の屈折率、ｒ1 、ｒ2 はそれぞれ負の第１反射面、正の第２反射面の軸上主光線が通過する地点での曲率半径、θ1 、θ2 はそれぞれ負の第１反射面、正の第２反射面の反射角である。
【請求項１６】
請求項４記載のズーム光学系において、次の条件式を満たすことを特徴とするズーム光学系。
０．００５＜φ2p／φ4p＜１００                        ・・・（７）
ただし、φ2p＝２・ｎ2 ／（cos θ2 ・ｒ2 ）、φ4p＝２・ｎ4 ／（cos θ4 ・ｒ4 ）とし、ｎ2 、ｎ4 はそれぞれ正の第２反射面、正の第４反射面の入射射出側のｄ線の屈折率、ｒ2 、ｒ4 はそれぞれ正の第２反射面、正の第４反射面の軸上主光線が通過する地点での曲率半径、θ2 、θ4 はそれぞれ正の第２反射面、正の第４反射面の反射角である。
【請求項１７】
請求項５記載のズーム光学系において、次の条件式を満たすことを特徴とするズーム光学系。
０．０１＜φ1n／φ4n＜１００                          ・・・（８）
ただし、φ1n＝２・ｎ1 ／（cos θ1 ・ｒ1 ）、φ4n＝２・ｎ4 ／（cos θ4 ・ｒ4 ）とし、ｎ1 、ｎ4 はそれぞれ負の第１反射面、負の第４反射面の入射射出側のｄ線の屈折率、ｒ1 、ｒ4 はそれぞれ負の第１反射面、負の第４反射面の軸上主光線が通過する地点での曲率半径、θ1 、θ4 はそれぞれ負の第１反射面、負の第４反射面の反射角である。
【請求項１８】
請求項６記載のズーム光学系において、次の条件式を満たすことを特徴とするズーム光学系。
０．００５＜φ2p／φ4p＜１００                        ・・・（９）
ただし、φ2p＝２・ｎ2 ／（cos θ2 ・ｒ2 ）、φ4p＝２・ｎ4 ／（cos θ4 ・ｒ4 ）とし、ｎ2 、ｎ4 はそれぞれ正の第２反射面、正の第４反射面の入射射出側のｄ線の屈折率、ｒ2 、ｒ4 はそれぞれ正の第２反射面、正の第４反射面の軸上主光線が通過する地点での曲率半径、θ2 、θ4 はそれぞれ正の第２反射面、正の第４反射面の反射角である。
【請求項１９】
請求項７記載のズーム光学系において、次の条件式を満たすことを特徴とするズーム光学系。
０．０１＜φ3p／φ4p＜１００                          ・・・（10）
ただし、φ3p＝２・ｎ3 ／（cos θ3 ・ｒ3 ）、φ4p＝２・ｎ4 ／（cos θ4 ・ｒ4 ）とし、ｎ3 、ｎ4 はそれぞれ正の第３反射面、正の第４反射面の入射射出側のｄ線の屈折率、ｒ3 、ｒ4 はそれぞれ正の第３反射面、正の第４反射面の軸上主光線が通過する地点での曲率半径、θ3 、θ4 はそれぞれ正の第３反射面、正の第４反射面の反射角である。
【請求項２０】
請求項８記載のズーム光学系において、次の条件式を満たすことを特徴とするズーム光学系。
０．００５＜φ2n／φ4n＜１００                        ・・・（11）
ただし、φ2n＝２・ｎ2 ／（cos θ2 ・ｒ2 ）、φ4n＝２・ｎ4 ／（cos θ4 ・ｒ4 ）とし、ｎ2 、ｎ4 はそれぞれ負の第２反射面、負の第４反射面の入射射出側のｄ線の屈折率、ｒ2 、ｒ4 はそれぞれ負の第２反射面、負の第４反射面の軸上主光線が通過する地点での曲率半径、θ2 、θ4 はそれぞれ負の第２反射面、負の第４反射面の反射角である。
【請求項２１】
請求項１〜２０の何れか１項記載のズーム光学系において、反射面はミラーから構成されることを特徴とするズーム光学系。
【請求項２２】
請求項１〜２０の何れか１項記載のズーム光学系において、反射面は対称面が１つのみの回転非対称な曲面形状であることを特徴とするズーム光学系。
【請求項２３】
請求項１〜２０の何れか１項において、フォーカシングも形状可変反射面で行うことを特徴とするズーム光学系。
【請求項２４】
請求項１〜２０の何れか１項記載のズーム光学系において、少なくとも１面の形状可変反射面は下記の条件式を満たすことを特徴とするズーム光学系。
０．００５＜｜２ｎ・Ｉｈ／（ cosθ・ｒmax ）｜＜５    ・・・（12）
ただし、ｒmax は軸上主光線が通過する地点での最大変形時の曲率半径、ｎは入射射出側のｄ線の屈折率、θは反射角、Ｉｈは最大像高である。
【請求項２５】
請求項１〜２０の何れか１項記載のズーム光学系において、少なくとも１面の形状可変反射面は下記の条件式を満たすことを特徴とするズーム光学系。
０．０００１＜｜（１／ｒw −１／ｒt ）・Ｉｈ｜＜１０  ・・・（13）
ただし、ｒw は広角端での軸上主光線が通過する地点での曲率半径、ｒt は望遠端での軸上主光線が通過する地点での曲率半径、Ｉｈは最大像高である。
【請求項２６】
請求項１〜２０の何れか１項記載のズーム光学系において、下記の条件式を満たすことを特徴とするズーム光学系。
０．１＜ｒ1X／ｒ1Y＜１０                              ・・・（14）
ただし、ｒ1Xは最も物体側に配置された反射面の広角端での軸上主光線が通過する地点のＸ方向の曲率半径、ｒ1Yは最も物体側に配置された反射面の広角端での軸上主光線が通過する地点でのＹ方向の曲率半径である。
【請求項２７】
請求項１〜２０の何れか１項記載のズーム光学系において、少なくとも１面の反射面は次の条件式を満たすことを特徴とするズーム光学系。
１５°＜θ＜７５°                                    ・・・（15）
ただし、θは反射面における軸上主光線の反射角である。
【請求項２８】
請求項１〜２０の何れか１項記載のズーム光学系において、明るさ絞りが物体側に少なくとも２面の反射面を配置して配されていることを特徴とするズーム光学系。
【請求項２９】
請求項１〜２０の何れか１項記載のズーム光学系において、静電気駆動の形状可変ミラーを用いたことを特徴とするズーム光学系。
【請求項３０】
請求項１〜２０の何れか１項記載のズーム光学系において、電磁気力駆動の形状可変ミラーを用いたことを特徴とするズーム光学系。
【請求項３１】
請求項１〜２０の何れか１項記載のズーム光学系において、圧電効果駆動の形状可変ミラーを用いたことを特徴とするズーム光学系。
【請求項３２】
請求項１〜２０の何れか１項記載のズーム光学系において、流体駆動の形状可変ミラーを用いたことを特徴とするズーム光学系。
【請求項３３】
請求項１〜２０の何れか１項記載のズーム光学系において、形状可変反射面の中心部を固定し、周辺部の面形状を変形させることを特徴とするズーム光学系。
【請求項３４】
請求項１〜３３の何れか１項記載のズーム光学系と、その像側に配置された電子撮像素子とを有することを特徴とする撮像装置。